(57)【要約】【課題】大型化することなく十分な明るさが得られる照明付きベルトを提供する。【解決手段】ベルト本体１とバックル２からなる洋服用の胴をしめるベルトであって、照明用の発光部を設けた照明付きベルトにおいて、ベルト本体１あるいはバックル２には、光束が１００ｌｍ以上になるように多数のＬＥＤ３を高密度に実装した照明用のカード型発光部４と、このカード型発光部４に電力を供給する電池５とが設けられている。又、この照明付きベルトは、ベルト本体１あるいはバックル２には発電機６が設けられており、この発電機６にて発電することで電池５に電力が蓄えられることを特徴としている。【選択図】図１
2007146311.tif 000002
【特許請求の範囲】
【請求項１】
ベルト本体とバックルからなる洋服用の胴をしめるベルトであって、照明用の発光部を設けた照明付きベルトにおいて、ベルト本体あるいはバックルには、光束が１００ｌｍ以上になるように多数のＬＥＤを高密度に実装した照明用のカード型発光部と、このカード型発光部に電力を供給する電池とが設けられている照明付きベルト。
【請求項２】
ベルト本体あるいはバックルには発電機が設けられており、この発電機にて発電することで電池に電力が蓄えられるものであることを特徴とする請求項１記載の照明付きベルト。
【請求項３】
カード型発光部と電池とは一体となってバックルに設けられており、発電機はベルト本体であってバックルから離れた位置に設けられていることを特徴とする請求項２記載の照明付きベルト。
【発明の詳細な説明】
【技術分野】
【０００１】
本願発明は、洋服用の胴をしめるベルトに照明用の発光部を設けた照明付きベルトに関するものである。
【背景技術】
【０００２】
従来から、実開平５−０３５８２０号公報（特許文献１）に示されるように、照明用の発光部を設けた照明付きベルトは知られている。この照明付きベルトは図５、６に示すように、ベルト本体１とバックル２からなっていて、バックル２には発光部である一つの小型ランプ７と、この小型ランプ７に電力を供給する電池５と、電源のオン・オフをするスイッチ８とが設けられている。
【０００３】
したがって、この照明付きベルトはスイッチ８をオンにして小型ランプ７を点灯させることで、手の自由が奪われることなく手元付近を照明することができ、暗所における手作業が容易になるものである。
【特許文献１】実開平５−０３５８２０号公報
【発明の開示】
【発明が解決しようとする課題】
【０００４】
しかしながら、上記従来例である照明付きベルトにあっては、発光部として小型ランプ７を一つ用いているだけであり、手元付近の近距離を照らす照明としてしか利用できない。したがって、この照明付きベルトの発光部は暗所を移動する際に数メートル先を有効に照らす照明装置や、歩行者等の存在を数十メートル先の自動車のドライバー等に知らせるための安全装置として機能するような十分な明るさは得られない。又、ランプは一般的に白熱電灯を指すものであり、十分な明るさを得るためにはランプの数を増やすか、大型のランプを使用する必要がある。ただし、この場合は発光部が大型化して使用しにくくなったり、ランプからの発熱により発光部が非常に熱くなったり、更に電池５の消費が早くなり長時間連続して使用することができない等の問題が生じる。
【０００５】
本願発明は、上記背景技術に鑑みて発明されたものであり、その課題は、大型化することなく十分な明るさが得られる照明付きベルトを提供するものである。
【課題を解決するための手段】
【０００６】
上記課題を解決するために、本願請求項１記載の発明では、ベルト本体とバックルからなる洋服用の胴をしめるベルトであって、照明用の発光部を設けた照明付きベルトにおいて、ベルト本体あるいはバックルには、光束が１００ｌｍ以上になるように多数のＬＥＤを高密度に実装した照明用のカード型発光部と、このカード型発光部に電力を供給する電池とが設けられている。
【０００７】
又、本願請求項２記載の発明では、上記請求項１記載の照明付きベルトにおいて、ベルト本体あるいはバックルには発電機が設けられており、この発電機にて発電することで電池に電力が蓄えられるものであることを特徴としている。
【０００８】
又、本願請求項３記載の発明では、上記請求項２記載の照明付きベルトにおいて、カード型発光部と電池とは一体となってバックルに設けられており、発電機はベルト本体であってバックルから離れた位置に設けられていることを特徴としている、
【発明の効果】
【０００９】
本願請求項１記載の発明の照明付きベルトにおいては、ベルト本体あるいはバックルに設けられたカード型発光部には、光束が１００ｌｍ以上となるような多数のＬＥＤが実装されているため、暗所を移動する際に数メートル先を有効に照らす照明装置や、歩行者等の存在を数十メートル先の自動車のドライバー等に知らせるための安全装置として機能するような十分な明るさを得ることができる。又、カード型発光部に実装されたＬＥＤは高密度に実装されているため、大型化することなく十分な明るさを得ることができる。更に、カード型発光部の光源としてＬＥＤを用いているため、白熱電灯に比べて発光効率が良く、限られた電力でより長時間連続して発光させることができる。
【００１０】
本願請求項２記載の発明の照明付きベルトにおいては、ベルト本体あるいはバックルに発電機が設けられているため、使用中に電池の電力がなくなっても、その場で発電機を使って充電することで使用し続けることができる。
【００１１】
本願請求項３記載の発明の照明付きベルトにおいては、カード型発光部や電池と比べて大型となる発電機がカード型発光部や電池とは分離して設けられているため、ベルト本体であって使用中に邪魔に感じない適切な位置に発電機を配置することで、使用しやすくなるものである。
【発明を実施するための最良の形態】
【００１２】
図１から図４は、本願請求項１〜３に対応した第一の実施形態である照明付きベルトを示している。この照明付きベルトは図１に示すように、ベルト本体１とバックル２からなる洋服用の胴をしめるベルトであって、照明用の発光部を設けた照明付きベルトにおいて、バックル２には、光束が１００ｌｍ以上になるように多数のＬＥＤ３を高密度に実装した照明用のカード型発光部４と、このカード型発光部４に電力を供給する電池５とが一体となって設けられている。又、ベルト本体１であってバックル２から離れた位置には電池５を充電するために用いる発電機６が設けられている。
【００１３】
以下、この実施形態の照明付きベルトを、より具体的詳細に説明する。図１に示すように、この照明付きベルトはバックル２とベルト本体１からなっており、バックル２にはカード型発光部４と電池５とが一体となって設けられている。カード型発光部４は図２に示すように、２０ｍｍ角の板状の基板７に縦横８列ずつで合計６４個のＬＥＤ３が搭載されており、厚みは３ｍｍ程度である。なお、この基板７は放熱性の高い材料からなっている。このカード型発光部４はＬＥＤ３を搭載した表面のみが露出するようにバックル２に埋め込まれており、バックル２の上面に設けられたスイッチ８をＯＮにすることにより、電池５の電力がカード型発光部４に供給され、バックル２の表面から外に向かって光を照射するようになしている。
【００１４】
又、電池５は充電することができる電池であって、カード型発光部４に隣接してバックル２の中に完全に埋め込まれている。更に、バックル２のベルト本体１に繋がっている側端面の上部にはコネクタ接続部９が設けられており、このコネクタ接続部９と発電機６とがコネクタ１０により接続されている。
【００１５】
ベルト本体１には、発電機６がベルト本体１を挟み込むように設けられており、発電機６はベルト本体１に対して着脱可能である。発電機６の内部構造は図３に示すように、まず、動力を伝えるワイヤ１１があり、このワイヤ１１が巻き込まれているワイヤリール１２が発電機６の内部に設けられている。ワイヤリール１２は主動歯車１３の側面に接続しており、主動歯車１３と一体となっているため、ワイヤ１１を引っ張ることでワイヤリール１２と主動歯車１３が一緒に回転するようになっている。なお、このワイヤリール１２はワイヤ１１を引っ張った後、ワイヤ１１を放すと自動的にワイヤ１１を巻き取るようになっている。
【００１６】
次に、主動歯車１３は連動歯車１４とかみ合っており、主動歯車１３の回転動力が連動歯車１４に伝わることで、連動歯車１４も主動歯車１３と連動して回転する。連動歯車１４は発電部１５に直接繋がっており、発電部１５では連動歯車１４の回転動力を利用して電磁誘導を起こすことで発電される。発電された電力はコネクタ１０を伝ってバックル２に埋め込まれた電池５に供給される。コネクタ１０はコネクタリール１６に巻き込まれており、コネクタ１０を必要な長さだけ引っ張り出して使用する。
【００１７】
したがって、この実施形態の照明装置においては、バックル２に設けられたカード型発光部４には、光束が１００ｌｍ以上となるような多数のＬＥＤ３が実装されているため、暗所を移動する際に数メートル先を有効に照らす照明装置や、歩行者等の存在を数十メートル先の自動車のドライバー等に知らせるための安全装置として機能するような十分な明るさを得ることができる。
【００１８】
又、カード型発光部４は、わずか２０ｍｍ角の基板７に６４個ものＬＥＤ３が高密度に実装されており、厚みも３ｍｍ程度であるため、大型化することなく十分な明るさが得られている。更に、基板７は放熱性の高い材料からなっているため、熱抵抗を小さくすることができる。又、カード型発光部４の光源としてＬＥＤ３を用いているため、白熱電灯に比べて発光効率が良く、限られた電力でより長時間連続して発光させることができる。
【００１９】
ベルト本体１には発電機６が設けられているため、使用中に電池５の電力がなくなっても、その場で発電機６を使って充電することで使用し続けることができる。この発電機６は、単純にワイヤ１１を手で引っ張って発電することもできるが、例えば図４に示すように、ワイヤ１１を靴に引っ掛けたまま歩行することで、ワイヤ１１は引っ張っては引き戻される動作を繰り返すため、歩行によっても発電することができる。したがって、この発電機６はワイヤ１１を効果的に用いることで、特別な動作をすることなく歩行しながらにして発電することができるため、歩行中に突然電池５が切れて、カード型発光部４からの照明が途絶えるようなことはほとんど起こらない。
【００２０】
又、カード型発光部４や電池５と比べて大型となる発電機６は、カード型発光部４や電池５とは分離して設けられているため、ベルト本体１であって使用中に邪魔に感じない適切な位置に発電機６を配置することで、使用しやすくなるものである。
【００２１】
なお、発電機６はベルト本体１に対して着脱可能であるため、電池５の電力が十分なときは発電機６を取り外すことで、余分な重量が加わることなく使用することができる。
【００２２】
又、カード型発光部４はバックル２とベルト本体１とに複数設けられていてもよい。例えば、使用者の後方を照らすようにカード型発光部４を設けた場合、夜間の暗い道を歩行中に後方から迫ってくる自動車のドライバー等にも、歩行者の存在を知らせることができ、安全装置としての機能をより高めることができる。
【図面の簡単な説明】
【００２３】
【図１】本願発明の第一の実施形態である照明付きベルトを示す斜視図。
【図２】同照明付きベルトにおけるカード型発光部を示す斜視図。
【図３】同照明付きベルトにおける発電機の内部構造を示す断面図。
【図４】同照明付きベルトの一使用状態を例示する斜視図。
【図５】従来例である照明付きベルトを示す斜視図。
【図６】同照明付きベルトにおけるバックルの内部構造を示す断面図。
【符号の説明】
【００２４】
１  ベルト本体
２  バックル
３  ＬＥＤ
４  カード型発光部
５  電池
６  発電機
７  小型ランプ
８  スイッチ
９  コネクタ接続部
１０  コネクタ
１１  ワイヤ
１２  ワイヤリール
１３  主動歯車
１４  連動歯車
１５  発電部
１６  コネクタリール
【図１】
2007146311.tif 000003
【図２】
2007146311.tif 000004
【図３】
2007146311.tif 000005
【図４】
2007146311.tif 000006
【図５】
2007146311.tif 000007
【図６】
2007146311.tif 000008